(57)【要約】【課題】天井に設けられた空調設備に対する清掃作業において、空調設備をカバーで確実に覆った状態を保持でき、かつ、空調設備に付着したゴミを除去する作業を、作業者に床上で行わせることができる空調設備の清掃機を提供すること。【解決手段】空調設備１０１を覆って配置される透明な袋状のカバー２０と、空調設備１０１に付着したゴミを吸引する掃除機１０とを備え、カバー２０には、掃除機１０の伸縮パイプ１４が摺動自在に挿し通されるガイド筒２２ａが設けられ、カバー２０の開口部２０ａ側の端部には真空吸着パッド４０が３個以上設けられ、これらの真空吸着パッド４０は天井１００に塞がれた状態で配置される凹部４１ａを備え、掃除機本体１７と真空吸着パッド４０は、その掃除機本体１７の吸引力を真空吸着パッド４０の凹部に伝達するチューブ６１等の管路で接続される。【選択図】図１
2014238198.tif 000002
【特許請求の範囲】
【請求項１】
天井に設けられた空調設備の清掃に用いられる空調設備の清掃機であって、
前記空調設備を覆って配置される透明な袋状のカバーと、前記空調設備に付着したゴミを吸引する掃除機とを備え、
掃除機は、前記空調設備に添え当てられるノズルと、このノズルに接続されるパイプと、前記ノズル側とは反対側の前記パイプの端部に接続されるホースと、前記パイプ側とは反対側の前記ホースの端部に接続され、前記ホース側から集塵室に空気を吸引する掃除機本体とを備え、
前記カバーには、前記パイプが摺動自在に挿し通されるガイド筒が設けられ、
前記カバーの開口部側の端部には真空吸着パッドが３個以上設けられ、これらの真空吸着パッドは前記天井に塞がれた状態で配置される凹部を備え、
前記掃除機本体と前記真空吸着パッドの前記凹部とが、前記掃除機本体の吸引力を前記凹部に伝達する吸引管路によって接続された
ことを特徴とする空調設備の清掃機。
【請求項２】
請求項１に記載の空調設備の清掃機において、
前記ノズルから前記掃除機本体に向かう空気が流れる主管路と、この主管路から分岐した前記真空吸着パッドと同数の枝管路とを備え、
前記吸引管路は、前記枝管路と前記真空吸着パッドの前記凹部とを直接的に接続する管路を含んで構成される
ことを特徴とする空調設備の清掃機。
【請求項３】
請求項２に記載の空調設備の清掃機において、
前記ノズルから前記掃除機本体に向かう空気が流れる主管路と、この主管路から分岐した枝管路とを備え、
前記カバーは、２重袋状に形成されたものであり、
前記真空吸着パッドは、前記２重袋状のカバーの外面を成す外側カバー部と、前記２重袋状の内面を成す内側カバー部との間に形成された空間に前記凹部が連通した状態で前記カバーに設けられ、
前記吸引管路は、空間を介して前記枝管路と前記真空吸着パッドの前記凹部とを接続する管路である
ことを特徴とする空調設備の清掃機。
【発明の詳細な説明】
【技術分野】
【０００１】
本発明は、室内の天井に設けられた空調設備に対して清掃を行う際に用いられる空調設備の清掃機であって、空調設備を覆って配置され塵埃等のゴミが室内に落下したり飛散したりするのを防止するカバーを備える空調設備の清掃機に関する。
【背景技術】
【０００２】
特許文献１には、エアコン洗浄用カバーが開示されている。このエアコン洗浄用カバーは、略逆苺形状を成すカバー本体を備える。このカバー本体の上方縁部には、ゴム紐を介在して伸縮開口自由の開口部が設けられている。また、カバー本体の底側口部には、断面Ｔ型のキャップの鍔部がフィルムとで重合されて、三者溶着により一体に形成されている。キャップ下部には、排水チューブが固定筒により着脱自在に挟着固定されている。
【０００３】
特許文献１に開示のエアコン洗浄用カバーを用いて行われるエアコンの清掃作業において、作業者は、カバー本体の開口部をゴム紐の伸縮力を利用して拡大し、カバー本体を天井埋込型または天井吊下げ型のエアコンに装着する。次いで、作業者は、カバー本体上縁のゴム紐を左手で手前へ引っ張ることによって、カバー本体とエアコンとの間に大きな隙間を設け、その隙間からエアコン内を目視しながら、右手に持った洗浄機のノズルでエアコン内部の洗浄を行う。カバー本体のエアコンに対する装着、および、エアコンの洗浄を、作業者は脚立上で行う。
【先行技術文献】
【特許文献】
【０００４】
【特許文献１】特許第３３２５２５９号公報
【発明の概要】
【発明が解決しようとする課題】
【０００５】
前述のように、特許文献１に開示のエアコン洗浄用カバーを用いてエアコン（空調設備）の清掃作業を行う際には、カバー本体とエアコンとの間に大きな隙間を設け、その隙間からエアコン内部の洗浄を行う。このため、その隙間から汚水が飛散して、室内を汚してしまう虞があるとともに、カバー本体がエアコンから外れてしまう虞がある。また、そのエアコン内部の洗浄は、作業者が脚立上で行うことであり、その作業者に負担のかかる姿勢を強いることになる。
【０００６】
本発明は前述の事情を考慮してなされたものであり、その目的は、天井に設けられた空調設備に対する清掃作業において、空調設備をカバーで確実に覆った状態を保持でき、かつ、空調設備に付着したゴミを除去する作業を、作業者に床上で行わせることができる空調設備の清掃機を提供することにある。
【課題を解決するための手段】
【０００７】
前述の目的を達成するために本発明に係る空調設備の清掃機は、次のように構成されている。
【０００８】
本発明に係る空調設備の清掃機は、天井に設けられた空調設備の清掃に用いられる空調設備の清掃機であって、前記空調設備を覆って配置される透明な袋状のカバーと、前記空調設備に付着したゴミを吸引する掃除機とを備え、掃除機は、前記空調設備に添え当てられるノズルと、このノズルに接続されるパイプと、前記ノズル側とは反対側の前記パイプの端部に接続されるホースと、前記パイプ側とは反対側の前記ホースの端部に接続され、前記ホース側から集塵室に空気を吸引する掃除機本体とを備え、前記カバーには、前記パイプが摺動自在に挿し通されるガイド筒が設けられ、前記カバーの開口部側の端部には真空吸着パッドが３個以上設けられ、これらの真空吸着パッドは前記天井に塞がれた状態で配置される凹部を備え、前記掃除機本体と前記真空吸着パッドの前記凹部とが、前記掃除機本体の吸引力を前記凹部に伝達する吸引管路によって接続されたことを特徴とする。
【発明の効果】
【０００９】
本発明に係る空調設備の清掃機は、掃除機本体の吸引力を利用して真空吸着パッドに吸着力を生じさせることで、カバーを空調設備を覆った状態で天井に固定することができる。また、本発明に係る空調設備の清掃機は、カバーに設けられたガイド筒に対してパイプが摺動自在に挿し通されるので、作業者に床上でパイプを把持させて、空調設備に対する掃除機のノズルの移動を行わせることができる。したがって、本発明に係る空調設備の清掃機は、天井に設けられた空調設備に対する清掃作業において、空調設備をカバーで確実に覆った状態を保持でき、かつ、空調設備に付着したゴミを除去する作業を、作業者に床上で行わせることができる。
【図面の簡単な説明】
【００１０】
【図１】本発明の第１の実施形態に係る空調設備の清掃機を示す図である。
【図２】図１に示した真空吸着パッドおよびその周辺の拡大斜視図である。
【図３】図２のIII−III断面図である。
【図４】図２のIV−IV断面図である。
【図５】図１に示したノズルが空調設備に対して移動したことに伴ってカバーおよびチューブが変形する様子を示す図である。
【図６】本発明の第２の実施形態に係る空調設備の清掃機を示す図である。
【図７】本発明の第３の実施形態に係る空調設備の清掃機を示す図である。
【図８】図７に示した清掃機における真空吸着パッドおよびその周辺の図であって、図２に対応する断面図である。
【図９】図７に示した清掃機における真空吸着パッドおよびその周辺の図であって、図３に対応する断面図である。
【発明を実施するための形態】
【００１１】
以下、本発明の第１〜第３の実施形態に係る空調設備の清掃機について説明する。
【００１２】
［第１の実施形態］
第１の実施形態に係る空調設備の清掃機について、図１〜図５を用いて説明する。
【００１３】
図１に示すように、第１の実施形態に係る空調設備の清掃機１は、掃除機１０（バキュームクリーナー）を備える。この掃除機１０は、天井１００に設けられた空調設備１０１（空気調和機、空調用吹出口、換気口等）に添え当てられるノズル１１と、このノズル１１に一端部を接続される伸縮可能な伸縮パイプ１４と、ノズル１１側とは反対側の伸縮パイプ１４の他端部に一端部を接続されるホース１６と、伸縮パイプ１４側とは反対側のホース１６の他端部に接続され、ホース１６側から集塵室（図示してない）に空気を吸引する掃除機本体１７とを備える。
【００１４】
ノズル１１は例えばブラシであり、伸縮パイプ１４の一端部に接続されるベース部材１２と、このベース部材１２に植毛された多数の毛１３とを備える。ベース部材１２には、伸縮パイプ１４に連通する吸込み口１２ａが設けられている。
【００１５】
伸縮パイプ１４は、ホース１６接続された第１パイプ１４ａと、ノズル１１と接続されるとともに第１パイプ１４ａに摺動可能に挿入された第２パイプ１４ｂと、第１パイプ１４ａに対して第２パイプ１４ｂを固定する締付リング１４ｃとを備える。締付リング１４ｃを緩めることで第１パイプ１４ａに対して第２パイプ１４ｂが摺動自在な状態、言い換えると、伸縮パイプ１４が伸縮自在な状態となる。
【００１６】
清掃機１は、空調設備１０１を覆った状態で天井１００に固定されるカバー２０を備える。カバー２０は、ポリエチレン製の筒状の透明なシートから成るカバー本体２１と、このカバー本体２１の一端部を窄ませた状態で閉じる閉じ部材２２とを備えるものであり、閉じ部材２２側を底側とする袋状を成す。この袋状のカバー２０は、このカバー２０の開口部２０ａの内側に空調設備１０１が位置した状態で、その空調設備１０１を覆って真空吸着パッド４０（後述）により天井１００に固定される。閉じ部材２２には、伸縮パイプ１４が摺動自在に挿し通されるガイド筒２２ａが設けられている。
【００１７】
閉じ部材２２のガイド筒２２ａとノズル１１との間に位置する伸縮パイプ１４の箇所には、閉じ部材２２に近づく方向へのノズル１１の移動を規制する円環状のストッパ部材３１が装着されている。ストッパ部材３１は弾性を有する部材であり、伸縮パイプ１４の外周面との間に生じる摩擦と、弾性とによって伸縮パイプ１４の軸方向上の任意の位置に装着可能なものである。
【００１８】
清掃機１は、カバー２０の開口部２０ａ側の端部に、３個以上（例えば４個）の真空吸着パッド４０（２個のみ図示）を備える。これら４個の真空吸着パッド４０は、カバー２０の開口部２０ａ側の端部に等間隔に設けられている。
【００１９】
清掃機１は、伸縮パイプ１４とホース１６とを接続する配管継手５０を備える。この配管継手５０は、一端に伸縮パイプ１４が接続され、他端にホース１６が接続される主管路５１と、この主管路５１から分岐した真空吸着パッド４０と同じ個数（４個）の枝管路５２（２個のみ図示）と、４個の真空吸着パッド４０のそれぞれと４個の枝管路５２のそれぞれとを接続する曲折自在な４本のチューブ６１（２本のみ図示）とを備える。
【００２０】
図２〜図４に示すように、真空吸着パッド４０は、パッド本体４１と、このパッド本体４１に設けられた金属製の吸引筒４５とを備える。パッド本体４１は天井１００に塞がれた状態で配置される凹部４１ａを備える。真空吸着パッド４０において、凹部４１ａは、天井１００に添え当てられる環状部４２と、この環状部４２から窄まって延びた側壁部４３と、パッド本体４１の底を成す底板部４４とから形成されている。底板部４４には円形の吸引穴４４ａが１個貫通して設けられている。この吸引穴４４ａには吸引筒４５が嵌め込まれている。この吸引筒４５は、凹部４１ａ側とは反対側で底板部４４から突出している。パッド本体４１は弾性を有し、その弾性により締め付けられることで吸引筒４５は吸引穴４４ａの位置に固定されている。
【００２１】
チューブ６１の一端部は、真空吸着パッド４０の吸引筒４５に接続されている。このチューブ６１の一端部には、金属製の管部材６２が挿入されている。チューブ６１は弾性を有し、この弾性により管部材６２を締め付けることで、チューブ６１の一端部に管部材６２を固定している。また、管部材６２は、真空吸着パッド４０の吸引筒４５に挿入されている。この状態でチューブ６１の一端部と吸引筒４５は、円筒状の接続部材６３により接続されている。接続部材６３の一端側には吸引筒４５が挿入されていて、接続部材６３の他端側にはチューブ６１が挿入されている。接続部材６３は弾性を有し、吸引筒４５と、管部材６２が挿入されたチューブ６１の一端部とを、その弾性により締め付けることで、吸引筒４５とチューブ６１の一端部とを接続している。
【００２２】
図１に戻り、真空吸着パッド４０は、カバー２０の開口部２０ａ側の端部に設けられている。具体的には図３，図４に示すように、カバー２０の開口部２０ａ側の端部には貫通穴２０ｂが設けられていて、この貫通穴２０ｂに吸引筒４５が挿し通されて位置する。また、板状の固定部材６４が、真空吸着パッド４０のパッド本体４１の底板部４４との間でカバー２０の開口部２０ａ側の端部を挟んで位置する。この固定部材６４には貫通穴６４ａが設けられていて、この貫通穴６４ａにも吸引筒４５が挿し通されている。さらに、固定部材６４の内周面と吸引筒４５の外周面との間に形成されたリング状の隙間には、摩擦と弾性により吸引筒４５から固定部材６４が抜けることを阻止するリング状の抜け止め部材６５が嵌め込まれている。
【００２３】
清掃機１において、ホース１６と、枝管路５２からホース１６側に位置する主管路５１の部分と、枝管路５２と、チューブ６１とから構成された管路は、掃除機本体１７の吸引力を真空吸着パッド４０の凹部４１ａに伝達する吸引管路である。この吸引管路のうちのチューブ６１は、枝管路５２と真空吸着パッド４０の凹部４１ａとを直接的に連通させる管路である。
【００２４】
伸縮パイプ１４には、この伸縮パイプ１４に対して近づいたり離れたりするチューブ６１の振れを抑える抑振部材６７が装着されている。この抑振部材６７は、伸縮パイプ１４が挿し通されて位置するパイプ挿通穴６７ａと、このパイプ挿通穴の外周側に設けられ、チューブ６１が軸方向に移動自在に通される２個のチューブ挿通穴６７ｂとを備える。また、抑振部材６７は弾性を有する部材であり、伸縮パイプ１４との間に生じる摩擦と弾性とによって伸縮パイプ１４の軸方向上の任意の位置に装着可能なものである。
【００２５】
このように構成された第１の実施形態に係る空調設備の清掃機１は、天井１００に設けられた空調設備１０１に対する清掃作業において、次のように用いられる。
【００２６】
はじめに、作業者は床上において、伸縮パイプ１４の長さを、ノズル１１が空調設備１０１に届く長さに調節する。次に、作業者は、掃除機本体１７を作動させる。次に、作業者は脚立に登って、室内に露出した空調設備１０１全体をカバー２０が覆った状態で天井１００に固定されるように、空調設備１０１の周囲に位置する天井１００の４箇所のそれぞれに、４個の真空吸着パッド４０のそれぞれを吸着させる。
【００２７】
次に、作業者は床上において、図５（ａ）に示すようにノズル１１を空調設備１０１に接触させた状態で、図５（ｂ）に示すように伸縮パイプ１４を移動させ、これにより、空調設備１０１に付着している塵埃等のゴミを擦り取りつつ、ノズル１１の吸込み口１２ａから吸い込ませる。
【００２８】
ノズル１１を空調設備１０１に接触させた状態で伸縮パイプ１４を移動させたとき、カバー２０は図５（ｂ）に示すように、開口部２０ａ側の端部を真空吸着パッド４０により天井１００に固定された状態で伸縮パイプ１４の移動に伴って変形し、チューブ６１も天井１００に固定された状態で抑振部材６７により振れを抑制されながら、伸縮パイプ１４の移動に伴って変形する。
【００２９】
第１の実施形態に係る空調設備の清掃機よれば次の効果を得られる。
【００３０】
第１の実施形態に係る空調設備の清掃機１においては、カバー２０に設けられた４個の真空吸着パッド４０が、ホース１６と、枝管路５２からホース１６側に位置する主管路５１の部分と、枝管路５２と、チューブ６１とから構成された吸引管路を介して掃除機本体１７に接続されている。これにより、第１の実施形態に係る空調設備の清掃機１は、掃除機本体１７の吸引力を利用して４個の真空吸着パッド４０に吸着力を生じさせ、これら真空吸着パッド４０により、カバー２０を空調設備１０１を覆った状態で天井１００に固定することができる。また、第１の実施形態に係る清掃機１においては、カバー２０に設けられたガイド筒２２ａに対して伸縮パイプ１４が摺動自在に挿し通される。これにより、作業者は床上で伸縮パイプ１４を把持して移動させることで、空調設備１０１に対して掃除機１０のノズル１１を移動させることができる。これらのことから、第１の実施形態に係る清掃機１は、天井１００に設けられた空調設備１０１に対する清掃作業において、空調設備１０１をカバー２０で確実に覆った状態を保持でき、かつ、空調設備１０１に付着したゴミを除去する作業を、作業者に床上で行わせることができる。
【００３１】
第１の実施形態に係る空調設備の清掃機１は、空調設備１０１に対する清掃作業において、抑振部材６７よりもカバー２０側に位置するチューブ６１の変形を、その抑振部材６７によってカバー２０に沿わせた状態で行わせることができ、これにより、チューブ６１が空調設備１０１を見ている作業者の視界の邪魔になりにくくすることができる。
【００３２】
［第２の実施形態］
第２の実施形態に係る空調設備の清掃機について、図６を用いて説明する。
【００３３】
図４に示すように、第２の実施形態に係る空調設備の清掃機２０１は、開閉バルブ２０２を備える点で第１の実施形態に係る清掃機１と異なり、この点以外は清掃機１と同様に構成されている。
【００３４】
開閉バルブ２０２は、配管継手５０の枝管路５２とチューブ６１との間に介在して設けられている。この開閉バルブ２０２は手動操作によって、掃除機本体１７の吸引力を真空吸着パッド４０の凹部４１ａに伝達する開状態と、その吸引力の真空吸着パッド４０への伝達を阻止する閉状態とに選択的に切替可能なものである。
【００３５】
清掃機２０１において、ホース１６と、枝管路５２からホース１６側に位置する主管路５１の部分と、枝管路５２と、チューブ６１と、開閉バルブ２０２とから構成される管路は、掃除機本体１７の吸引力を真空吸着パッド４０の凹部４１ａに伝達する吸引管路である。この吸引管路のうちのチューブ６１と開閉バルブ２０２は、枝管路５２と真空吸着パッド４０の凹部４１ａとを直接的に接続する管路である。
【００３６】
第２の実施形態に係る空調設備の清掃機２０１によれば次の効果を得られる。
【００３７】
第２の実施形態に係る空調設備の清掃機２０１においては、カバー２０に設けられた４個の真空吸着パッド４０が、ホース１６と、枝管路５２からホース１６側に位置する主管路５１の部分と、枝管路５２と、チューブ６１と、開閉バルブ２０２とから構成された吸引管路を介して掃除機本体１７に接続されている。これにより、第２の実施形態に係る空調設備の清掃機２０１は、掃除機本体１７の吸引力を利用して４個の真空吸着パッド４０に吸着力を生じさせ、これら真空吸着パッド４０により、カバー２０を空調設備１０１を覆った状態で天井１００に固定することができる。また、第２の実施形態に係る清掃機２０１においては、カバー２０に設けられたガイド筒２２ａに対して伸縮パイプ１４が摺動自在に挿し通される。これにより、作業者は床上で伸縮パイプ１４を把持して移動させることで、空調設備１０１に対して掃除機１０のノズル１１を移動させることができる。これらのことから、第２の実施形態に係る空調設備の清掃機２０１は、天井１００に設けられた空調設備１０１に対する清掃作業において、空調設備１０１をカバー２０で確実に覆った状態を保持でき、かつ、空調設備１０１に付着したゴミを除去する作業を、作業者に床上で行わせることができる。
【００３８】
第２の実施形態に係る空調設備の清掃機２０１は、掃除機１０を作動させた状態において、掃除機本体１７の吸引力を真空吸着パッド４０の凹部４１ａに伝達することと、その吸引力の真空吸着パッド４０への伝達を阻止こととの切替を、開閉バルブ２０２の手動操作により任意のタイミングで作業者に行わせることができる。
【００３９】
第２の実施形態に係る空調設備の清掃機２０１は、第１の実施形態の場合と同じく、空調設備１０１に対する清掃作業において、抑振部材６７よりもカバー２０側に位置するチューブ６１の変形を、その抑振部材６７によってカバー２０に沿わせた状態で行わせることができ、これにより、チューブ６１を作業者の視界の邪魔になりにくくすることができる。
【００４０】
なお、前述の第２の実施形態に係る空調設備の清掃機２０１において、開閉バルブ２０２はチューブ６１が１本だけ接続されるものであるが、複数本のチューブ６１が接続されるものであってもよい。これにより、掃除機１０を作動させた状態において、複数の真空吸着パッド４０の凹部４１ａに対する掃除機本体１７の吸引力の伝達と、その吸引力の伝達の阻止との切替を、１個の開閉バルブ２０２の操作により任意のタイミングでまとめて行うことができる。
【００４１】
［第３の実施形態］
第３の実施形態に係る空調設備の清掃機３０１について図７〜図９を用いて説明する。
【００４２】
図７〜図９に示すように、第３の実施形態に係る空調設備の清掃機３０１は、第１の実施形態に係る清掃機１におけるカバー２０、真空吸着パッド４０、配管継手５０、チューブ６１、固定部材６４、抜け止め部材６５、抑振部材６７の替わりに、カバー３２０、真空吸着パッド３４０、配管継手３５０、チューブ３６１、固定部材３６４、抑振部材３６７を備え、これら以外は清掃機１と同様に構成されている。
【００４３】
カバー３２０は、ポリエチレン製の透明な筒状のシートを、このシートの両端部が重なるように折り返すことで形成されて成るカバー本体３２１と、そのシートの両端部を窄めた状態で閉じる閉じ部材３２２とを備える部材であり、閉じ部材３２２側を底側とする２重袋状を成す。
【００４４】
図８，図９に示すように、真空吸着パッド３４０は、パッド本体３４１と、このパッド本体３４１に設けられた複数（例えば３個）の吸引筒３４５とを備える。パッド本体３４１は天井１００に塞がれた状態で配置される凹部３４１ａを備える。真空吸着パッド３４０において、凹部３４１ａは、天井１００に添え当てられる環状部４２と、この環状部４２から窄まって延びた側壁部３４３と、パッド本体３４１の底を成す底板部３４４とから形成されている。底板部３４４には、円形の吸引穴３４４ａが３個設けられている。これら３個の吸引穴３４４ａのそれぞれには、３個の金属製の吸引筒３４５のそれぞれが嵌め込まれている。これら３個の吸引筒３４５は、凹部３４１ａ側とは反対側で底板部３４４から突出している。パッド本体３４１は弾性を有し、その弾性により締め付けられることで吸引筒３４５は吸引穴３４４ａの位置に固定されている。
【００４５】
真空吸着パッド３４０は、カバー３２０の開口部３２０ａ側の端部、言い換えると、カバー本体３２１を成す筒状のシートの折返し部３２１ａに設けられている。具体的には、折返し部３２１ａに３個の貫通穴３２０ｂが設けられていて、これら３個の貫通穴３２０ｂのそれぞれに対して３個の吸引筒３４５のそれぞれが挿し通されている。また、板状の固定部材３６４が、パッド本体３４１の底板部３４４との間で折返し部３２１ａを挟んで位置する。この固定部材３６４には３個の貫通穴３６４ａが設けられていて、これら３個の貫通穴３６４ａのそれぞれに対して３個の吸引筒３４５のそれぞれが嵌め込まれている。折返し部３２１ａはパッド本体３４１の底板部３４４と固定部材３６４とに対して溶着されている。
【００４６】
つまり、真空吸着パッド３４０は、２重袋状のカバー３２０の外面を成す外側カバー部３２０ｃと、２重袋状の内面を成す内側カバー部３２０ｄとの間に形成された空間３２０ｅに凹部３４１ａが連通した状態でカバー３２０に設けられている。
【００４７】
配管継手３５０は、第１の実施形態における配管継手５０と同じく主管路５１を備えるが、その主管路５１から分岐する枝管路としては、チューブ３６１が接続される枝管路３５２を１個だけ備える。この枝管路３５２はチューブ３６１を介して、空間３２０ｅに接続されている。
【００４８】
清掃機３０１において、ホース１６と、枝管路３５２からホース１６側に位置する主管路５１の部分と、枝管路３５２と、チューブ３６１と、カバー３２０に形成された空間３２０ｅは、掃除機本体１７の吸引力を真空吸着パッド３４０の全ての凹部３４１ａに伝達する吸引管路を構成する。言い換えると、第３の実施形態における吸引管路は、第１実施形態における吸引管路と異なり、空間３２０ｅを介して枝管路３５２と真空吸着パッド３４０の凹部３４１ａとを接続する管路であり、枝管路３５２と空間３２０ｅを接続するチューブ３６１を含んで構成される。
【００４９】
伸縮パイプ１４には、この伸縮パイプ１４に対して近づいたり離れたりするチューブ３６１の振れを抑える抑振部材３６７が装着されている。この抑振部材３６７は、第１の実施形態における抑振部材６７と同じくパイプ挿通穴６７ａを備えるが、チューブ挿通穴としては、チューブ３６１が軸方向に移動自在に通されるチューブ挿通穴３６７ｂを、パイプ挿通穴６７ａの外周側に１つだけ備える。また、抑振部材３６７は、第１実施形態における抑振部材３６７と同じく弾性を有する部材であり、伸縮パイプ１４との間に生じる摩擦と弾性とによって伸縮パイプ１４の軸方向上の任意の位置に装着可能なものである。
【００５０】
第３の実施形態に係る空調設備の清掃機３０１によれば次の効果を得られる。
【００５１】
第３の実施形態に係る空調設備の清掃機３０１においては、ホース１６と、枝管路３５２からホース１６側に位置する主管路５１の部分と、枝管路３５２と、チューブ３６１と、カバー３２０に形成された空間３２０ｅとから構成された吸引管路を介して掃除機本体１７に接続されている。これにより、第３の実施形態に係る空調設備の清掃機３０１は、掃除機本体１７の吸引力を利用して４個の真空吸着パッド３４０に吸着力を生じさせ、これら真空吸着パッド３４０により、カバー２０を空調設備１０１を覆った状態で天井１００に固定することができる。また、第１の実施形態に係る清掃機１においては、カバー２０に設けられたガイド筒２２ａに対して伸縮パイプ１４が摺動自在に挿し通される。これにより、作業者は床上で伸縮パイプ１４を把持して移動させることで、空調設備１０１に対して掃除機１０のノズル１１を移動させることができる。これらのことから、第３の実施形態に係る清掃機３０１は、天井１００に設けられた空調設備１０１に対する清掃作業において、空調設備１０１をカバー３２０で確実に覆った状態を保持でき、かつ、空調設備１０１に付着したゴミを除去する作業を、作業者に床上で行わせることができる。
【００５２】
第３の実施形態に係る空調設備の清掃機３０１においては、掃除機本体１７の吸引力を真空吸着パッド３４０の凹部３４１ａに伝達する吸引管路が、空間３２０ｅと、この空間３２０ｅを介して枝管路３５２と真空吸着パッド３４０の凹部３４１ａを間接的に接続する管路であるチューブ３６１を含んで構成されるものである。したがって、第３の実施形態に係る空調設備の清掃機３０１は、掃除機本体１７と４個の真空吸着パッド３４０の凹部３４１ａの全てとを接続するのに要するチューブ３６１の本数を第１の実施形態における４本よりも少ない１本で済ませることができるとともに、その１本のチューブ３６１を第１の実施形態の場合よりも短いもので済ませることができる。これによって、第３の実施形態に係る空調設備の清掃機３０１は、吸引管路の構成要素であるチューブ３６１を第１の実施形態の場合よりも、作業者の視界の邪魔になりにくくすることができる。
【００５３】
第３の実施形態に係る清掃機３０１は、カバー本体３２１が２重袋状であるので、第１の実施形態の場合よりも、カバーの強度を向上させることができる。
【符号の説明】
【００５４】
１  清掃機
１０  掃除機
１１  ノズル
１２  ベース部材
１４  伸縮パイプ
１６  ホース
１７  掃除機本体
２０  カバー
４０  真空吸着パッド
４１ａ  凹部
５０  配管継手
５１  主管路
５２  枝管路
１００  天井
１０１  空調設備
２０１  清掃機
２０２  開閉バルブ
３０１  清掃機
３２０  カバー
３２０ｃ  外側カバー部
３２０ｄ  内側カバー部
３２０ｅ  空間
３４０  真空吸着パッド
３４１ａ  凹部
３５０  配管継手
３５０  配管継手
３５２  枝管路
【図１】
2014238198.tif 000003
【図２】
2014238198.tif 000004
【図３】
2014238198.tif 000005
【図４】
2014238198.tif 000006
【図５】
2014238198.tif 000007
【図６】
2014238198.tif 000008
【図７】
2014238198.tif 000009
【図８】
2014238198.tif 000010
【図９】
2014238198.tif 000011